(57)【要約】【課題】  除雪で駐車場隅や道路の交差点脇に堆積した雪溜まりが、片づけられないままになって、雪は固く一部は氷化している。いち早く融雪し、駐車場の開放及び、交差点の安全確保を速やかに行うことが求められる。【解決手段】  図１に示すとおり、堆積した雪溜まり上に支柱を持ち、その支柱に横方向の水平レールを構成し、そのレール上をシャワー放水器が往復することによって、シャワー放水器下の積雪を効率良く融雪する。融雪水は、雪と分子結合的に相性が良く、水温の高い地下水を使う。【選択図】図１
2019002260.tif 000002
【特許請求の範囲】
【請求項１】
堆積した雪上に数本の支柱を持ち、その支柱に横方向の水平レールを構成し、その水平レール上をレールと放水器間の摩擦力を低減した構造のシャワー放水器が往復することによって、シャワー放水器の下の積雪を融雪することができる融雪装置。
【請求項２】
シャワー放水器に凍結などで過剰な負荷が掛かった場合、装置を止めることができる安全機構を持った請求項１に記載の融雪装置。
【発明の詳細な説明】
【技術分野】
【０００１】  本発明は、除雪された雪が、駐車場や交差点脇に雪溜まり（雪山）として積み上げられるが、これをその場で効率良く融雪して、問題の解決を図るため発明した、電動自走式融雪装置である。
【背景技術】
【０００２】  この融雪装置は、固定して装置を据え置き、シャワー水を上部から噴霧して、装置の床に堆積された雪溜りを融かす方式であり、本発明は、装置の一部を地中に埋設する等、工夫されている。【０００３】  しかし、装置の製造及び設置費用は、高額になると推測される。本件に限らず、融雪装置の特許の多くが、プラントの製造である。本件も設備の設置スペースを占有すると共に、日常の整備、管理が必要となる。問題なのは、１．車両で雪を装置へ搬入が必要であること。２．融雪運転時の監視が必要であること。このため、作業に専担従事者を配置する必要がある。１．２．項がプラント融雪の場合、共通した課題である。
【先行技術文献】
【特許文献１】特開２００６−１８３４４２
【発明の概要】
【発明が解決しようとする課題】
【０００４】  本発明は、以上に述べた従来の欠点に鑑み、発想を転換し、雪溜まりの上に直接置く融雪装置であって、その場で融雪できるのが特徴である。
【課題を解決するための手段】
【０００５】  本発明は、雪溜まり上に設置した支柱に固定された、大凡２ｍの水平レールに左右２個のシャワー放水器から散水され、モーター駆動により水平面で往復することで、効率良く融雪が行われる。融雪水は、雪と分子結合的にも相性が良く、水温の高い地下水が適している。
【発明の効果】
【０００６】  固定して灌水融雪する方式と異なり、シャワー放水器が水平面を往復することで、融雪が促進される。併せて、万遍なく融雪されるため、冠水下に雪の融け残りが殆ど無い。従って、雪を時々掻き寄せる手間は不要である。【０００７】  一度の設置でシャワー放水の往復により、広範囲を短時間で融雪ができる。通常、作業開始から終了まで監視は要らない。
【図面の簡単な説明】
【０００８】
【図１】本発明の全体図
【図２】本発明装置の正面図
【図３】本発明装置の裏面図
【図４】本発明シャワー放水ユニット上面図
【図５】本発明装置の断面図
【図６】本発明オプション強化支柱の全体図
【図７】本発明制御器の操作パネル図
【図８】本発明制御器の電子回路ブロックダイヤグラム図
【図９】本発明に使用のシールド型蓄電池図
【図１０】本発明に使用のＡＣアダプター図
【発明を実施するための形態】
【０００９】  図１で雪溜まり１の上に支柱２、３に支えられた、約２ｍの水平フレーム４に設備の左右２個のシャワー放水器ユニット５から地上に向かって放水する。フレーム上を往復することで融雪を促進すると共に融け残りを解消し、短時間で広範囲の融雪を行う、電動自走式融雪装置である。作業現場で商用電源確保の困難性を考慮して、密閉型小型蓄電池を動力とする。
【００１０】  図２の形に発明の装置を地上で、支柱部２，３と放水ユニット搭載フレーム４を組立て、蝶ボルト６，７で締めつける。重量は５Ｋｇで片手で容易に運搬ができる。設置付近を安定のため、少し均す。支柱安定用タンク２個にホースから注水し蓋をする。止水された給水ホースを分岐栓２２に接続し、ホースバンドで固定する。近くに水の通水／停止パルブを取り付け開閉を行う。
【００１１】  次に電源供給コード１５を蓄電池３３にコネクタで接続する。制御器図７Ｐｏｗｅｒスイッチ２８をオンする。ＰＬ（パイロットランプ＝緑）３０及びＡＬＭ（アラームランプ＝赤）３１が点灯する。Ｒｅｓｅｔスイッチ２９を上又は下へオンするとハネカエリで戻る。ＡＬＭランプが消灯し、放水器は駆動を開始する。ホースの絡まりがなく、正常に左右往復を確認した後、融雪給水を開始する。タンク満水時総重量は１１Ｋｇ（蓄電池除く）で、移動設置等の作業は容易である。コネクタ接続中、誤って逆極が触れた場合安全回路により、付属のヒューズを切断する。その場合予備ヒューズと交換する。
【００１２】  移動融雪方式で融雪効率が高く、約３メートル高さの雪溜まりを４−５時間で、５×６メートルの約３０平方メートルを融雪できる。雪溜まりがより高い場合、融雪時間の延長で解決する。
【００１３】  装置が倒れるような強風時は、強化型支柱２４，２５を雪溜まりに深さマーク２６迄挿し込み、現用品と交換する。シャワー放水器ユニット搭載フレーム４と支柱の接続部は、切り欠き加工２７済で、これがフレーム内に収まり、締め付け時の共回りを防止する。締め付けは蝶ボルト６，７で行い、スパナ等の工具を必要としない。
【００１４】  シャワー放水器ユニット５の走行速度は、融雪効率に殆ど関係無い（１）厳冬季で運用の場合、駆動速度の遅すぎは、駆動中凍結が発生（２）シャワー放水器ユニット５の駆動負荷（３）給水ホースの捩れ力（４）消費電流を抑えて小型蓄電池採用の可否を検討した。先ず（２）（３）項を先行開発し、放水器ユニット５の移動摩擦力を極力低減のため、水平レール間にローラー１８を挿入し、筐体５の材料にアルミ材を採用し、重量軽減を図った。
【００１５】  実験データから通水中の駆動負荷は、約０．１２Ｋｇの横引き加重が必要で、駆動用モーター１３に３Ｋｇｃｍ−１０ｒｐｍギャードモーターを採用し、必要トルク対応のＭＸＬ規格ベルト１７及び、３２歯数プーリー１０を選定した。ベルトの引きトルクは、４Ｋｇ・ｃｍ強あり、約３０倍の能能力がある。又、ベルト張兼用フリーホイール１６によりベルト緩みを調整する。シャワー放水器５の往復所要時間は、約４分３０秒である。消費電流３０ｍＡ、消費電力０．３６Ｗである。
【００１６】  全長４メートルの駆動ベルト１７をノンスリップで走行させるため、タイミングプーリー１０にテンションプーリー１１をあてがい、ベルトの歯飛び（スリップ）を確実に防止する。又、両端付近の反転スイッチ８，９に放水器５が触れることで、信号を出し駆動モーターを逆転させ、走行を反転し、これを繰り返す。又、水平フレームの両端内側に防水板１２を取り付け、駆動部への浸水を防止する。
【００１７】  制御器１４は、小型軽量で縦４５ｍｍ×横６５ｍｍ×高さ２５ｍｍ（突起物除く）重量５０ｇである。直流１２Ｖギャードモーター１３は、直径２５φ×全長５５ｍｍで重量９０ｇである。作業現地では、商用電源を調達できないことが多いと想定される。動力用電源は、運搬時の手軽さから１２Ｖバイク用蓄電池３３で十分賄える。例えば１２Ｖ−６Ａｈの蓄電池を使用した場合、２４時間連続運転を行った場合でも７日（１週間）以上の運転継続が可能である。
【００１８】  制御器１４は、二点について電子回路設計を工夫した。その一つは、監視の無い長時間運転をした場合、アクシデント発生が想定される。例えば装置の転倒、建物や屋根からの落雪（雪の固まり）や、給水ホースの絡まり、凍結が発生した場合、過剰な負荷が掛かり、放水器及び、駆動部が停止することもあり得る。その際、機構部にダメージを与え、過電流が蓄電池に流れ、蓄電池３３ににも良くない。そこで、３．０Ｋｇ・ｃｍ以上の過剰負荷を検知した場合、駆動部へ電源供給を停止する。停止すると制御器のＡＬＭランプ３１を点灯し、異常を告知する。作業者は、障害物を除去し、リセットスイッチ２９をオンすれば、ランプが消灯し運転を再開する。
【００１９】  その二つ、蓄電池（鉛電池）３３は、一定電圧以下まで使用すると充電を行っても１００％回復できなくなる。その限界電圧は１２Ｖ電池で１０．５Ｖと規定される。本発明では、１０．６Ｖを検知し、蓄電池３３からの電源供給を停止する。又、停止以降の回路電流は殆ど流れない設計である。駆動が停止し、Ｐｏｗｅｒスイッチ２８がオン状態で緑・赤ランプ３０，３１が消灯している場合は、蓄電池３３の消耗と判断できるので充電する。この機能により、蓄電池が傷むことは無く長期に亘り安定して使用できる。
【００２０】  上述二点を含めた電子回路フローチャートを図８に示す。
【００２１】  自動車が準備できる場合、雪溜まり近辺に駐車して車に付属の１２Ｖ蓄電池からクリップ接続で電源供給が可能である。消費電力は小さいので、自動車の蓄電池に与える影響は殆どない。
【００２２】  作業現場で１００Ｖ商用電源を確保できる場合は、簡易な凡用品ＡＣアダプタ−３４で直流出力ＤＣ１２Ｖ−１Ａ品が使用できる。この場合、蓄電池３３は不要である。
【００２３】  構造材料は、アルミ材の使用、ローラー部品及び全ネジはＳＵＳ材品、制御器ケースはＡＢＳ材品、全スイッチは防水規格品を使用し、モーターはチューブ被覆処理を行い、隙間はコーキング処理で耐候性の向上を図り、装置全体の信頼性を得ている。
【００２４】  本発明を収納時は、作業場、車庫の片隅に簡単に収納出来、他の邪魔にならない。又、乾燥保管で良く、注油等のメンテナンスは一切不要である。使用時は、ベルト張り具合の点検のみである。
【符号の説明】
【００２５】  １除雪で出来た雪溜り（雪山）
２安定用注水式タンク付支柱Ａ
３安定用注水式タンク付支柱Ｂ
４シャワー放水器ユニット搭載用レール
５シャワー放水器ユニット
６支柱固定用蝶ボルトＡ
７支柱固定用蝶ボルトＢ
８反転用スイッチＡ
９反転用スイッチＢ
１０駆動用タイミングプーリー
１１スリップ防止用テンションプーリー
１２防水板
１３駆動用ギャードモーター
１４制御器
１５ヒューズ付電源供給コード
１６ベルト張兼用フリーホィール
１７駆動用タイミングベルト
１８ローラーベアリング
１９浮き防止用ローラー
２０シャワー放水器Ａ
２１シャワー放水器Ｂ
２２配水用分岐栓
２３給水用ホース
２４強化型アルミ支柱Ａ重量２００ｇ
２５強化型アルミ支柱Ｂ重量２００ｇ
２６挿入位置マーク
２７強化支柱切り欠き加工ネジ部
２８バワースイッチＰｏｗｅｒ
２９リセットスイッチＲｅｓｅｔ
３０電源パイロットランプＰＬ
３１アラームランプＡＬＭ
３２制御器ブロックダイヤグラム
３３小型鉛蓄電池１２Ｖ−６Ａｈ
３４小型ＡＣスイッチング電源ＡＣ１００Ｖ−１Ａ
【図１】
2019002260.tif 000003
【図２】
2019002260.tif 000004
【図３】
2019002260.tif 000005
【図４】
2019002260.tif 000006
【図５】
2019002260.tif 000007
【図６】
2019002260.tif 000008
【図７】
2019002260.tif 000009
【図８】
2019002260.tif 000010
【図９】
2019002260.tif 000011
【図１０】
2019002260.tif 000012